(57)【特許請求の範囲】
【請求項１】
給水ユニットと、受水槽とを備えており、
給水ユニットは、駆動部と吸水部と送水部を有し、受水槽の上部に設置されており、受水槽に貯めた水または外部水源から駆動部を起動して吸水部で汲み上げて、送水口から供給し、
受水槽は、上方が開口した有底筒型をなす収容部と、収容部の開口部を着脱自在に塞ぎ且つ給水ユニットを上面に載せる蓋とを有しており、
蓋は、その上面に給水ユニットを囲む状態で被嵌合部が配設してあり、収容部の開口部を下向きにすると共に、収容部の周壁先端部を蓋の被嵌合部に嵌合したときに、給水ユニットが収容部の下方に位置することを特徴とする携帯用ポンプ装置。
【発明の詳細な説明】
【技術分野】
【０００１】
本発明は、緊急災害時など屋外活動で使用する携帯用ポンプ装置に関するものである。
【背景技術】
【０００２】
屋外活動や緊急災害時においては、上下水道のライフラインが使用できない状況が多く、この場合、最寄りの水源地から宿舎や水源地まで水を確保しなければならなかった。そのときに水源地から給水する手段が必要となり、主として自家発電装置で起動する携帯用のポンプ装置が使用されている。
【先行技術文献】
【特許文献】
【０００３】
特開２０１１−０７５２３３号公報
【発明の概要】
【発明が解決しようとする課題】
【０００４】
災害時においては、上下水道などのライフラインが分断されて使用できなくなる状態が多々あることから、そういう状況下での水の確保は井戸や貯水池などの水源からの手汲み運搬や、給水車が使用されるものであった。このうち手汲みの場合は、水の確保がなされても水杓やバケツにより順次配水を行うことから、作業効率が悪く大変な労力を要し、また、給水車を使用する場合には、その受水槽としてバルーン型水槽と呼ばれるものが利用されたが、高所に設置して落差を利用するものであったことから、災害時では高所に設置する機材の確保が難しく低地での設置になってしまい、水圧が著しく低くなるものであった。また、発電機を用いて井戸から汲み上げるタイプのポンプが使用されることがあったが、現場での配管作業が必要になることから、緊急性に対応できない問題点もあった。
【０００５】
本発明は上記課題を鑑みてなされたものであり、緊急災害時に効率的な配水が行えるとともに、搬送の際に安全且つ安定して持ち運ぶことのできる携帯用ポンプ装置を提供することになる。
【課題を解決するための手段】
【０００６】
本発明は、給水ユニットと、受水槽とを備えており、給水ユニットは、駆動部と吸水部と送水部を有し、受水槽の上部に設置されており、受水槽に貯めた水または外部水源から駆動部を起動して吸水部で汲み上げて、送水口から供給し、受水槽は、上方が開口した有底筒型をなす収容部と、収容部の開口部を着脱自在に塞ぎ且つ給水ユニットを上面に載せる蓋とを有しており、蓋は、その上面に給水ユニットを囲む状態で被嵌合部が配設してあり、収容部の開口部を下向きにすると共に、収容部の周壁先端部を蓋の被嵌合部に嵌合したときに、給水ユニットが収容部の下方に位置することを特徴とする。
【発明の効果】
【０００９】
本発明によれば、給水ユニットと受水槽が一体型となっており、１台で受水槽または外部水源から吸水と送水が行える。これにより、現場に本発明のポンプ装置を搬送して起動するだけで使用できるので、現場での配管設備が不要となり、緊急災害時であっても水の供給が迅速且つ効率的に行えるようになる。さらに、給水ユニットを載置台の一面側に取り付け、さらに、収容部をひっくり返して蓋の上面に配設してある被嵌合部に嵌合することにより、蓋と収容部で給水ユニットを覆うと共に、給水ユニットが低位置に配置される。これによりポンプ装置は、その重心が低くなることで地面や床等に安定して設置されるので、ポンプ装置の搬送時の衝撃等で横転することなく、さらに、他の搬送物に当たり破損することがない。
【図面の簡単な説明】
【００１２】
【図１】本実施による携帯用ポンプ装置の（ａ）は、使用時の状態を示す側面図であり、（ｂ）は、搬送時の状態を示す側面図である。
【図２】（ａ）は、本実施による携帯用ポンプ装置の平面図であり、（ｂ）は、給水ユニットを取り外した状態の平面図である。
【図３】本実施による携帯用ポンプ装置を使用状態から搬送時の状態にするまでの手順を示す縦断面図である。
【図４】（ａ）（ｂ）は、蓋と収容部の嵌合状態を示す図１中Ａを拡大した縦断面図である。
【発明を実施するための形態】
【００１３】
以下に、図面に基づいて本実施による携帯用ポンプ装置の実施の形態を説明する。
本実施による携帯用ポンプ装置は、図１（ａ）（ｂ）のように、給水ユニット１と、受水槽２とからなっている。給水ユニット１は、商品名：カワエースＮＦ２形（製造・販売：株式会社川本製作所）が使用されており、図２（ａ）のように後述するが、受水槽２の収容部４の上面に着脱自在に取り付け可能なベース６と、モーター７と、アキュムレーター８と、吸水部９と、送水部１０と、電装箱１１と、呼水プラグ１２と、受水槽吸水ホース１３と、サインセンサー２５とポンプケーシング２４とからなっている。また、モーター７とアキュムレーター８、電装箱１１、呼水プラグ１２、サインセンサー２５、ポンプケーシング２４により、本実施によるポンプ装置の駆動部Ｐを構成している。また、モーター７の駆動は、インバーター発電機１４を使用するものであり、さらに、吸水部９には、切り替え三方弁２３を介して、受水槽２からの吸水と外部吸水ホース１９による外部水源との二元切り替え吸水ができるようになっている。上記のように形成することにより、本実施による携帯用ポンプ装置は、切り替え三方弁２３を切り替えて、水が受水槽２から受水槽吸水ホース１３を通り、さらに、蛇口１６を通じて送水することになる。また、外部水源から水が確保できる状況であれば、切り替え三方弁２３をさらに切り替えることにより、外部水源に延ばした外部吸水ホース１９を通り、蛇口１６を通じて送水することも可能である。
【００１４】
受水槽２は、蓋３と有底筒型の収容部４とからなっている。蓋３は、図２（ｂ）のように、平面視して一辺が長い矩形状をなしており、所定の箇所に受水槽吸水ホース１３を挿通するための受水槽吸水ノズル用挿通孔１５が設けてある。また、蓋３の上面には、給水ユニット１を挟む位置にそれぞれ持手２２が設けてあり、その持手２２を人が両手で掴んでポンプ装置を容易に運ぶことができるようになっている。さらに、蓋３の内周側にはボールタップ１８が設けてあり、そのボールタップ１８は、受水槽２内に水を入れる第２給水口２０の開け閉めを制御しており、所定の水位になったときに第２給水口２０を閉塞するように形成してある。これらボールタップ１８によって給水する方法は、水道圧が弱いときや、水の供給量が少ない場合など、そのままでは給水能力が低下する状況下で受水槽２に水を溜め込み、給水ユニット１により加圧して供給するためである。ボールタップ１８の使用時には、バルブ部がほぼ水平に保持されて稼動状態になり、また、収納あるいは保管時には、ボールタップ固定蝶ネジ２８を緩めて蓋３から取り外すことで蓋３の内周空間３０に収容される。さらに、蓋３にはボールタップ１８の着脱が容易となるように取付孔板が設けてある。そして、収容部４は、上部が開放した有底筒型をなしており、底板の外周縁部の全周からほぼ垂直に起立した周壁を有し、周壁の開放側端部は、全周に亘って蓋３の上面に設けてある溝（被嵌合部）５に差し込んで挟持されるように形成してある（図４参照）。また、符号２１は、受水槽２に緊急的に水を補給するためのマンホールである。
尚、給水ユニット１はインバーター機能が付いているので、電源は、５０ｈｚと６０ｈｚの兼用であり、どの地域でも使用できるものである。また、回転数が送水量に変化するようになっていることから、インバーター発電機１４を使用したときには省エネ運転ができる。また、蓋３及び収容部４の素材については、搬送時を考慮して軽量な樹脂、または金属板で形成されている。
【００１５】
次に、本実施によるポンプ装置の保管時や搬送中の状態について説明する。
図３（ａ）のように、収容部４から給水ユニット１を取り付けたままの状態で蓋３を外し、保管ベース２９の上に設置する。次いで、収容部４を上下にひっくり返して収容部４の周壁先端部４ａを蓋３の上面縁部の全周に設けてある被嵌合部５に嵌合することにより、図３（ｂ）のように、収容部４と蓋３で給水ユニット１を包囲する状態となる。このようにすると、蓋３の上面に給水ユニット１が位置することから、重心が下方に移ることにより、本実施によるポンプ装置を地面や床に設置したときには安定した状態で設置される。    
尚、給水ユニット１に接続してある外部給水ホース１９は、本実施によるポンプ装置の搬送時においては、給水ユニット１から取り外すとともに、その給水ユニット１の左右側面とホース保持板２７との間に保持する状態にして収容部４内に納めている（図１（ｂ）参照）。
【００１６】
そして、蓋３の上面にある被嵌合部５と収容部４の周壁先端部４ａとの嵌合については、図４（ａ）のように、蓋３の被嵌合部５が溝状に形成してあり、その溝（被嵌合部）５に収容部４の周壁先端部４ａが落とし込まれて嵌合すると、収容部４の周壁先端部４ａが前後左右方向に規制される。また、溝（被嵌合部）５は、溝底に向かって溝幅が狭まるテーパ状をなしており、図４（ｂ）のように、収容部４の周壁先端部４ａが落とし込まれたときに溝内周側間で挟着されることで、本実施によるポンプ装置搬送時の衝撃等による蓋３からの収容部４の上下方向の離脱が防がれる構造となっている。また、収容部４を手で掴んで持ち上げて蓋３からほぼ垂直方向に持ち上げれば、比較的簡単に外れる構造となっている。上記した被嵌合部５は、収容部４の周壁先端部が落とし込まれたときに、摩擦により抜けにくくなるものであれば、どのような形状であってもよい。
【００１７】
本発明のポンプ装置は、受水槽２に貯めた水を汲み上げて使用できるものであれば、給水ユニット１の種類や大きさ等は特に限定するものではない。また、受水槽２については、収容部４と、その収容部４の周壁先端部４ａに被せる蓋３とからなり、収容部４は、給水ユニット１を収容できる容量を有し、また蓋３は、地面や床に設置したときに不安定に揺動せずに安定設置できるものであればよい。受水槽２の内周側に、使用するごとに新しいビニールシートなどの防水または撥水性のシートを敷き込めば、水槽内を衛生的に保つことができる。
【符号の説明】
【００１８】
１  給水ユニット
２  受水槽
３  蓋（受水槽）
４  収容部（受水槽）
４ａ  周壁先端部
５  溝（被嵌合部）
Ｐ  駆動部
【図１】
0005831898.tif 000002
【図２】
0005831898.tif 000003
【図３】
0005831898.tif 000004
【図４】
0005831898.tif 000005